(57)【要約】      （修正有）【課題】ホワイトニング及びクリーニング施設の開業にあたり、イニシャルとランニングの双方のコストが削減でき、さらにこれらが配管のできない制約が多い商業ビル等に於いても開業可能とする。【解決手段】歯のホワイトニング及びクリーニングをセルフサービスで行なう形態の場合、施設の入り口１に定量の水の入った給水コップ３とこの排出用の排水コップ４を配置して、利用者がこれらを授受してからホワイトニング及びクリーニングの過程で口内を洗浄し、終了後に、一箇所に設けた汚水及び給排水コップの廃棄エリアＣにて処理をするようにした。個室を設けずに、仕切板で仕切ったブースＢで行なえるようにした。【選択図】図１
2016202858.tif 000002
【特許請求の範囲】
【請求項１】
口内洗浄用の定量の水を入れた給水コップとこの洗浄後の汚水を排出する排水コップを備え置く第一のエリアと、給水コップと排水コップを利用して歯のホワイトニング及びクリーニングがおこなえるようにした第二のエリアと、当該歯のホワイトニング及びクリーニング後に汚水と給水コップ及び排水コップを廃棄する第三のエリアとで構成したことを特徴とする歯のホワイトニング及びクリーニング施設。
【請求項２】
上記、施設の出入り口の近傍に第一のエリアと第三のエリアを兼用して設けたことを特徴とする前記請求項１に記載の歯のホワイトニング及びクリーニング施設。
【請求項３】
上記、第二のエリアは個室とせずに、隣接する利用者間に仕切板を設けることでブースを連続的に並び設けたことを特徴とする前記請求項１乃至、請求項２に記載の歯のホワイトニング及びクリーニング施設。
【請求項４】
上記、排水コップには水処理用凝集剤を入れておくようにしたことを特徴とする前記請求項１乃至、請求項３に記載の歯のホワイトニング及びクリーニング施設。
【請求項５】
歯のホワイトニング及びクリーニングを行なうにあたり、第一のエリアで口内を洗浄する定量の水の入った給水コップとこの洗浄後の汚水を排出する排水コップを授受し、歯のホワイトニング及びクリーニングを行なう第二のエリアで給水コップ内の水で口内を洗浄するとともに汚水を排水コップに排出し、第三のエリアで汚水と給水コップ及び排水コップを廃棄するようにして利用者がセルフサービス形態で利用できるようにしたことを特徴とする歯のホワイトニング及びクリーニングの方法。
【発明の詳細な説明】
【技術分野】
【０００１】  この発明は歯の表面の汚れを除去して白化するホワイトニング及びクリーニングを行なう施設と、これらを行なう方法に関する。
【背景技術】
【０００２】  歯のホワイトニング及びクリーニングを行なうには、最初に歯ブラシ等で歯の汚れをとって口内を洗浄し、次に歯の表面に洗浄用の基剤を塗り、特定領域の波長の光を照射して反応を促進させた後に、再度歯ブラシ等で口内を洗浄して白化するものであり、この過程に於いて少なくとも２〜３回の口内洗浄が行なわれる。【０００３】  従って、従来のこれらの施設では、洗浄用の給排水の設備が必要となり、さらに施設内に多数の個室を設けた形態の場合では、各々の個室に給排水の設備が必要となるため開業時のイニシャルコストが高い原因となっていた。【０００４】  また、物販ビル等の商業施設では給排水の配管が自在にできないため開業を断念せざるを得ないものであった。【０００５】  これらの設備装置としては下記に示した特許文献に紹介されている。
【先行技術文献】
【特許文献】
【０００６】
【特許文献１】特開２００７−５４１５９公報
【発明の概要】
【発明が解決しようとする課題】
【０００７】  この特許文献１では、各室ごとに給排水設備が必要となりイニシャルコストを低減することが求められていた。【０００８】  これらの施設は、利用者がセルフサービスで行なうことを前提とした運営の上で、人件費等のコストの軽減を第一の主眼としているので、上記による初期の設備投資高等や各室対応による人員増は、経営リスクとして考えられる。【０００９】  本発明は、上記に鑑みてなされたものであって、ホワイトニング及びクリーニング施設の開業にあたり、イニシャルとランニングの双方のコストが削減できること、さらにこれらが配管のできない制約が多い商業ビル等に於いても開業可能とすることを目的としている。
【課題を解決するための手段】
【００１０】  前記課題を解決するため、この発明は、口内洗浄用の定量の水を入れた給水コップとこの洗浄後の汚水を排出する排水コップを備え置く第一のエリアと、給水コップと排水コップを利用して歯のホワイトニング及びクリーニングがおこなえるようにした第二のエリアと、該歯のホワイトニング及びクリーニング後に汚水と給水コップ及び排水コップを廃棄する第三のエリアとで構成したことを特徴とする。【００１１】また、上記の施設の出入り口の近傍に第一のエリアと第三のエリアを兼用して設けたことを特徴とする。【００１２】  また、上記の第二の施設は個室とせずに、隣接する利用者間に仕切板を設けることでブースを連続的に並び設けたことを特徴とする。【００１３】  また、上記の排水コップには水処理用凝集剤を入れておくようにしたことを特徴とする。【００１４】  また、歯のホワイトニング及びクリーニングを行なうにあたり、第一のエリアで口内を洗浄する定量の水の入った給水コップとこの洗浄後の汚水を排出する排水コップを授受し、歯のホワイトニング及びクリーニングを行なう第二のエリアで給水コップ内の水で口内を洗浄するとともに汚水を排水コップに排出し、第三のエリアで汚水と給水コップ及び排水コップを廃棄するようにして利用者がセルフサービス形態で利用できるようにしたことを特徴とする。【００１５】
【発明の効果】
【００１６】  本発明は、上記のように構成したので、第１に給排水の設備が必要最小限（１ケ所）となるので開業時の費用負担が軽減される。【００１７】  第２に、施設内をリニューアルする場合、給排水設備の位置に限定されることが無く、自在にブースの移動と形成が行なえる。【００１８】  第３に、特に物販用の商業ビル等の店舗施設で配管に制約が多くても開業が可能にできる。【００１９】  第４に、排水コップに水処理用凝集剤を入れておくことで、口内洗浄後の汚水を半固形化できるので利用者の持ち運びと廃棄、さらに廃棄後の処理が簡便となり、特に商業ビル等の配管のできない場合は、タンク等で給水できる給水器と一般ゴミ用の廃棄ボックスを備えることで配管ができなくても開業が可能となる。【００２０】  第５に、給水コップの水の量を洗浄に充分な一定量としたので、排水コップの容積も給水コップと同様とすることができ、コップの管理が簡易となり、特に定量の給水器を利用することで給水作業の合理化が計られる。【００２１】  第６に、施設内の入り口の近傍個所に第一のエリアを設け、出口の近傍個所に第三のエリアを設け、第一および第三のエリアの中間に第二のエリアを設けることで、利用者は無駄な移動を強いられることが無く、セルフサービスの観点に適合した形態となる。【００２２】  第７に、給水コップ及び排水コップの配置と回収は、第一のエリア及び第三のエリアの各々１箇所で配置と回収処分ができるので、各々の個室ごとに配置及び回収するような無駄な人員の必要がない。【００２３】  第８に、第二のエリアは施設内に多数のブースを形成できるので、施設面積の坪あたりの効率が向上する。また、これらのブースの配置方式はセルフサービスとしての考え方に適った合理的な形態であり、個室を並び設けた従来の形態に比べて利用者に対して斬新な訴求効果がある。
【図面の簡単な説明】
【００２４】
【図１】この発明の施設の平面図
【図２】施設の他の実施例を示す平面図
【図３】施設の他の実施例を示す平面図
【図４】第二のエリアの実施例を示す平面図
【図５】排水コップの断面図
【発明を実施するための形態】
【００２５】  以下、図１〜図５を参照し、この実施態様を通じて本発明を詳説する。
【００２６】  図１は、この発明の歯のホワイトニング及びクリーニング施設を示し、入り口１の近傍個所のカウンターやテーブル２には、口内洗浄用の水を入れた給水コップ３と、この洗浄後の汚水を排出する排水コップ４を配置する第一のエリアＡを設けている。
【００２７】  施設内の中央には、上記の給水コップ３及び排水コップ４を利用して歯のホワイトニングが行なえるようにした第二のエリアＢが設けられている。
【００２８】  また、出口５の近傍個所には、ホワイトニング及びクリーニングの終了後に、汚水排出用の排水容器６と給水コップ３及び排水コップ４を廃棄する廃棄容器７を備えた第三のエリアＣが設けられている。
【００２９】  第一のエリアＡは受付カウンター等の機能も備え、ここで定量の水の入った給水コップ３と汚水を排出する排水コップ４を受け渡す。この時、上記の給排水コップ３、４と一緒に歯ブラシ及びその他ホワイトニング基剤８を一つのトレー９に載せて受け渡す。
【００３０】  第二のエリアＢで利用者は、先ず歯の洗浄を行なった後に給水コップ３の水で口内を漱ぎ、この汚水を排水コップ４に排出する。次いで、基剤８等を用いたホワイトニング及びクリーニング後に、再度、給水コップ３の水で口内を漱ぎ、汚水を前記同様に排水コップ４に排出する。
【００３１】  次ぎに、この第二のエリアＢでのホワイトニング及びクリーニングの終了後に、第三のエリアＣで汚水を排水容器６に捨てるとともに、給水コップ３と排水コップ４及びその他の基剤８を廃棄容器７に廃棄して終了する。
【００３２】  図２は、出入り口１０を一箇所とした実施例を示している。この場合も図１と同様にしてホワイトニング及びクリーニングが行なわれる。
【００３３】  図３は、図２での第三のエリアＣを出入り口１０の近傍に設けて、第一のエリアＡと兼用とした実施例を示している。この場合、受付カウンターで給排水コップ３、４の受け渡しとこの回収の両方が行なわれる。
【００３４】  図４は、第二のエリアＢの実施例を示している。第二のエリアＢは個室とせずに、隣接する利用者間に仕切り板１１を設けて区画してブース１２を連続的に形成している。このブース１２には椅子１３、テーブル１４、鏡１５、照射器具１６が備えられて歯のホワイトニング及びクリーニングが行なえるようになっている。
【００３５】  また、第一のエリアＡ及び第三のエリアＣには、夫々給排水の配管をして定量の自動給水器１７等を設置し、利用者が自分で定量の給水を行なうこともできる。
【００３６】  図５は排水コップ４を示し、この内部に高分子ポリマー剤等の水処理用凝集剤１８を入れて利用者に授受することで、洗浄後の汚水を半固形化することができ、排水でなく、廃棄容器７へ廃棄が可能となる。
【符号の説明】
【００３７】  Ａ・・・第一のエリア
Ｂ・・・第二のエリア
Ｃ・・・第三のエリア
１・・・入り口
２・・・カウンターやテーブル
３・・・給水コップ
４・・・排水コップ
５・・・出口
６・・・排水容器
７・・・廃棄容器
８・・・基剤
１０・・・出入り口
１１・・・仕切り板
１２・・・ブース
１８・・・水処理用凝集剤
【図１】
2016202858.tif 000003
【図２】
2016202858.tif 000004
【図３】
2016202858.tif 000005
【図４】
2016202858.tif 000006
【図５】
2016202858.tif 000007